(57)【要約】【課題】ハウジングから取り外された状態でのファンユニットの駆動を防止することができるレーザ加工装置を提供する。【解決手段】ファンユニット１１がハウジング２を構成するベース部材２ａに正規の取付位置に取り付けられた状態において、ハウジング側コネクタ部４５とファン側コネクタ部２５との接続及び取り外しが許容されるように構成される。【選択図】図４
2010105035.tif 000002
【特許請求の範囲】
【請求項１】
レーザ光源を内部に備えたハウジングと、前記ハウジングに設けられ該ハウジングの内部を冷却するためのファンユニットとを備えたレーザ加工装置において、
前記ファンユニットは、前記ハウジングに着脱可能に設けられる固定部材と、該固定部材に固定されたファン部材と、該ファン部材の外側側面に設けられたカバー部材と、前記ファン部材と接続線を介して電気的に接続され給電用のハウジング側コネクタ部に着脱可能に接続されるファン側コネクタ部とを備え、該ファンユニットが前記ハウジングに正規の取付位置に取り付けられた状態において、前記ハウジング側コネクタ部と前記ファン側コネクタ部との接続及び取り外しが許容されるように構成されたことを特徴とするレーザ加工装置。
【請求項２】
請求項１に記載のレーザ加工装置において、
前記ハウジングには、前記ハウジング側コネクタ部が着脱可能な取付孔が形成され、
前記ファンユニットは、前記ハウジングに正規の取付位置に取り付けられた状態において、前記ファン側コネクタ部が前記ハウジングの取付孔と対向するように構成され、
前記ハウジング側コネクタ部は、前記取付孔に挿通された状態で前記ファン側コネクタ部と接続可能に構成されたことを特徴とするレーザ加工装置。
【請求項３】
請求項１又は２に記載のレーザ加工装置において、
前記ファンユニットは、その吸排方向に着脱可能に構成されたことを特徴とするレーザ加工装置。
【請求項４】
請求項１〜３のいずれか１項に記載のレーザ加工装置において、
前記ハウジング側コネクタ部は、前記ハウジングに固定され、
前記ファン側コネクタ部は、固定された前記ハウジング側コネクタ部に対して着脱可能に構成されたことを特徴とするレーザ加工装置。
【請求項５】
請求項１〜４のいずれか１項に記載のレーザ加工装置において、
前記ファンユニットの着脱方向と、前記ハウジング側コネクタ部及び前記ファン側コネクタ部同士の着脱方向とが直交するように構成されたことを特徴とするレーザ加工装置。
【発明の詳細な説明】
【技術分野】
【０００１】
本発明は、ハウジング内部に設けられたレーザ光源にて発振されたレーザ光によりワークへの加工を行うレーザ加工装置に関するものである。
【背景技術】
【０００２】
従来、レーザ加工装置では、ハウジングの内部が特にレーザ光源から生じる熱により高温となるため、ハウジングにはその内部を冷却するためのファンユニットが設けられている（例えば特許文献１参照）。ファンユニットは、ファンユニット側のコネクタ部が給電用のハウジング側のコネクタ部に接続され、各コネクタ部を介してファンユニットに駆動電力が供給されるようになっている。
【特許文献１】特開２００７−６１８４９号公報
【発明の開示】
【発明が解決しようとする課題】
【０００３】
ところで、上記のようなレーザ加工装置では、各コネクタ部が互いに接続された状態でファンユニットをハウジングから取り外してしまった場合、ファンユニットが、ハウジングに取り付けられていない単独の状態にも関わらず駆動してしまう虞があり、この点においてなお改善の余地があった。
【０００４】
本発明は、上記課題を解決するためになされたものであって、その目的は、ハウジングから取り外された状態でのファンユニットの駆動を防止することができるレーザ加工装置を提供することにある。
【課題を解決するための手段】
【０００５】
上記課題を解決するために、請求項１に記載の発明は、レーザ光源を内部に備えたハウジングと、前記ハウジングに設けられ該ハウジングの内部を冷却するためのファンユニットとを備えたレーザ加工装置において、前記ファンユニットは、前記ハウジングに着脱可能に設けられる固定部材と、該固定部材に固定されたファン部材と、該ファン部材の外側側面に設けられたカバー部材と、前記ファン部材と接続線を介して電気的に接続され給電用のハウジング側コネクタ部に着脱可能に接続されるファン側コネクタ部とを備え、該ファンユニットが前記ハウジングに正規の取付位置に取り付けられた状態において、前記ハウジング側コネクタ部と前記ファン側コネクタ部との接続及び取り外しが許容されるように構成されたことを特徴とする。
【０００６】
この発明では、ファンユニットがハウジングに正規の取付位置に取り付けられた状態において、ハウジング側コネクタ部とファン側コネクタ部との接続及び取り外しが許容されるため、ハウジングから取り外された状態でのファンユニットの駆動を防止することができる。
【０００７】
請求項２に記載の発明は、請求項１に記載のレーザ加工装置において、前記ハウジングには、前記ハウジング側コネクタ部が着脱可能な取付孔が形成され、前記ファンユニットは、前記ハウジングに正規の取付位置に取り付けられた状態において、前記ファン側コネクタ部が前記ハウジングの取付孔と対向するように構成され、前記ハウジング側コネクタ部は、前記取付孔に挿通された状態で前記ファン側コネクタ部と接続可能に構成されたことを特徴とする。
【０００８】
この発明では、ハウジング側コネクタ部は、ハウジングの取付孔に挿通された状態でファン側コネクタ部と接続されるため、各コネクタ部同士を非接続とした後でないとファンユニットを取り外せないように構成することが可能となる。
【０００９】
請求項３に記載の発明は、請求項１又は２に記載のレーザ加工装置において、前記ファンユニットは、その吸排方向に着脱可能に構成されたことを特徴とする。
この発明では、ファンユニットを吸気又は排気のための空いたスペースから取り付けることができ、その結果、ファンユニットの吸排スペース以外のスペースを効率的に使うことが可能となる。
【００１０】
請求項４に記載の発明は、請求項１〜３のいずれか１項に記載のレーザ加工装置において、前記ハウジング側コネクタ部は、前記ハウジングに固定され、前記ファン側コネクタ部は、固定された前記ハウジング側コネクタ部に対して着脱可能に構成されたことを特徴とする。
【００１１】
この発明では、ファンユニットがハウジングに正規の取付位置に取り付けられた状態において、ハウジング側コネクタ部とファン側コネクタ部との接続及び取り外しが許容されるように構成可能となる。
【００１２】
請求項５に記載の発明は、請求項１〜４のいずれか１項に記載のレーザ加工装置において、前記ファンユニットの着脱方向と、前記ハウジング側コネクタ部及び前記ファン側コネクタ部同士の着脱方向とが直交するように構成されたことを特徴とする。
【００１３】
この発明では、ファンユニットの取付方向と各コネクタ部同士の着脱方向とが直交するように構成されるため、各コネクタ部を非接続とした後でないとファンユニットを取り外せないように構成することが可能となる。
【発明の効果】
【００１４】
従って、上記記載の発明によれば、ハウジングから取り外された状態でのファンユニットの駆動を防止することができる。
【発明を実施するための最良の形態】
【００１５】
以下、本発明をレーザマーキング装置に具体化した一実施形態を図面に従って説明する。
図１に示すように、本実施形態のレーザマーキング装置１は、ハウジング２内部にレーザ光源３を備えてなる本体部４と、本体部４の先端部（前部）に設けられたヘッド部５とからなる。本体部４のハウジング２内部には、レーザ光源３の発振を制御するための制御部６が設けられている（図３参照）。レーザ光源３から出射されたレーザ光は、レーザマーキング装置１の内部に設けられた一対のガルバノミラー（図示略）により走査され、ヘッド部５に設けられた収束レンズ７を介してワークＷに照射される。これにより、ワークＷに対して文字・記号・図形等のマーキングが行うことが可能となっている。
【００１６】
図２及び図３に示すように、本体部４のハウジング２は、幅方向の側面部分（図１における手前側の側面）が一部開口しており、該側面部分における内側にはベース部材２ａを備えている。ベース部材２ａには、本体部４の内部を冷却するためのファンユニット１１を取り付けるためのファンユニット取付部１２が形成され、このファンユニット取付部１２は、ベース部材２ａにネジ１３により締結固定される被覆部材２ｂにて覆われるようになっている。尚、ファンユニット取付部１２は、本体部４の前後方向中央部に位置するように形成されている。
【００１７】
図３に示すように、ファンユニット取付部１２には、開口部１２ａが形成されており、該開口部１２ａを覆うようにファンユニット１１が取り付けられるようになっている。ファンユニット１１は、ファンユニット取付部１２に対し着脱可能な固定部材としてのファンベース２１と、ファンベース２１に固定されたファン部材２２と、ファン部材２２の一側面に装着された網状のファンカバー２３（カバー部材）とを備えている。
【００１８】
ファン部材２２は、ファン本体２２ａと、そのファン本体２２ａを回転可能に支持するとともに該ファン部材２２を回転駆動させる駆動部２２ｂと、駆動部２２ｂに接続線２４を介して電気的に接続されたファン側コネクタ部２５と有している（図４参照）。尚、接続線２４は、ファンベース２１に設けられた支持部材２１ａ（結束部材）に挿通されている。また、前記ファンカバー２３は、ファン部材２２の外側側面（被覆部材２ｂを外した状態で露出する側の側面）に設けられている。
【００１９】
ファンベース２１は、ファン部材２２が取り付けられる座面部３１と、座面部３１の両側（本体部４の前後方向における両側）から本体部４の幅方向にそれぞれ延びる側壁部３２とを有している。座面部３１には、本体部４の幅方向に突出する４つの挿通部３３が形成され、各挿通部３３は、ファン部材２２の駆動部２２ｂ及びファンカバー２３に挿通されている。そして、各挿通部３３にナット３４が締結されることで、ファン部材２２及びファンカバー２３がファンベース２１に固定されている。尚、ファンベース２１の座面部３１には、ファン本体２２ａと略同等のサイズの開口部（図示略）が形成されている。
【００２０】
ファンベース２１の各側壁部３２の下端には、係止凹部４１が形成されており、各係止凹部４１には、ファンユニット取付部１２の下部両側方にそれぞれ形成され互いに向かい合う方向に突出する係止凸部４２が係止されるようになっている。また、各側壁部３２には、本体部４の前後方向に延びる取付座部３２ａが形成されている。各取付座部３２ａには、ファンユニット固定用ネジ４３（本実施形態では計４つ）が挿通され、該ネジ４３はハウジング２のベース部材２ａに締結される。これにより、ファンベース２１がベース部材２ａに固定されるようになっている。このようなファンユニット１１では、ファンベース２１の各係止凹部４１をファンユニット取付部１２の各係止凸部４２に係止させた後、ベース部材２ａ側に回動させて取り付けることが可能となっている（図５参照）。即ち、ファンユニット１１は、その吸排方向（本実施形態においては、本体部４の幅方向）に着脱可能となっている。これにより、ファンユニット１１を吸気又は排気のための空いたスペースから取り付けることが可能となっている。
【００２１】
図４に示すように、ハウジング２のベース部材２ａの上端部には、本体部４の上下方向と直交する面を有するフランジ部４４が形成されている。フランジ部４４には、制御部６と図示しない接続線にて電気的に接続されたハウジング側コネクタ部４５が挿通されて固定される取付孔４４ａが形成されている。
【００２２】
ハウジング側コネクタ部４５は、取付孔４４ａに固定された状態で前記ファン側コネクタ部２５と接続されている。詳しくは、ハウジング側コネクタ部４５は、ファン側コネクタ部２５に形成された挿入穴（図示略）に挿入され、これにより各コネクタ部２５，４５は、互いに電気的に接続されるようになっている。そして、制御部６は、図示しない外部電源からの電力をハウジング側コネクタ部４５及びファン側コネクタ部２５を介してファン部材２２に供給し、これにより、ファン部材２２のファン本体２２ａが回転駆動されるようになっている。
【００２３】
また、各コネクタ部２５，４５は、上下方向に着脱可能に構成されている。即ち、各コネクタ部２５，４５の着脱方向は、ファンユニット１１の着脱方向（ファンユニット１１がハウジング２に近接した状態における着脱方向）に対して直交するように構成されている。
【００２４】
上記のようなレーザマーキング装置１において、ファンユニット１１を本体部４に取り付ける際には、図５に示すように、ファンベース２１の各係止凹部４１をハウジング２のベース部材２ａの各係止凸部４２に係止させ、ファンユニット１１を係止凸部４２を中心にハウジング２側に回動させてファンユニット取付部１２に嵌め込む。これにより、ファンユニット１１が正規の取付位置（図２に示す位置）に配置される。その後、ファンユニット１１は、各ファンユニット固定用ネジ４３にてベース部材２ａに締結固定される。
【００２５】
ここで、ファン側コネクタ部２５は、ファンユニット１１が正規の取付位置に配置された状態において、ベース部材２ａの取付孔４４ａと上下方向に対向する。これにより、ハウジング側コネクタ部４５とファン側コネクタ部２５との接続は、ファンユニット１１が正規の取付位置に配置された時に初めて許容されるようになっている。ファンユニット１１を正規の取付位置に配置した後、ファン側コネクタ部２５が、ベース部材２ａの取付孔４４ａに挿通固定されたハウジング側コネクタ部４５に接続され、制御部６からファン部材２２への給電が可能な状態となる。
【００２６】
このように、本実施形態のレーザマーキング装置１では、ファンユニット１１が単独の状態（正規の取付位置に取り付けられていない状態）では、各コネクタ部２５，４５同士を接続できず、ファン部材２２への給電が不能なため、ファン部材２２が駆動されないようになっている。
【００２７】
また、ファンユニット１１を本体部４から取り外す際には、各ファンユニット固定用ネジ４３を外した後、ファンユニット１１を上端部側から外すようになっている。これは、ファンユニット１１の下端部の各係止凹部４１がハウジング２側の各係止凸部４２に係止されており、ファンユニット１１を下端部側から取り外せないようになっているためである。ここで、ファン側コネクタ部２５には、ハウジング側コネクタ部４５が挿入されており、該ハウジング側コネクタ部４５はベース部材２ａの取付孔４４ａに挿通されて固定されている。即ち、ファン側コネクタ部２５をハウジング側コネクタ部４５から取り外さない限り、ファンユニット１１をファンユニット取付部１２から取り外すことができず、これにより、ファンユニット１１の単独の状態での駆動が防止されるようになっている。
【００２８】
次に、本実施形態の特徴的な作用効果を記載する。
（１）本実施形態では、ファンユニット１１がハウジング２を構成するベース部材２ａに正規の取付位置に取り付けられた状態において、ハウジング側コネクタ部４５とファン側コネクタ部２５との接続及び取り外しが許容されるため、ハウジング２から取り外された状態でのファンユニット１１の駆動を防止することができる。
【００２９】
（２）本実施形態では、ハウジング側コネクタ部４５は、ベース部材２ａの取付孔４４ａに挿通された状態でファン側コネクタ部２５と接続されるため、各コネクタ部２５，４５同士を非接続とした後でないとファンユニット１１を取り外せないように構成することが可能となる。
【００３０】
（３）本実施形態では、ファンユニット１１がその吸排方向に着脱可能に構成されるため、ファンユニット１１を吸気又は排気のための空いたスペースから取り付けることができ、その結果、ファンユニット１１の吸排スペース以外のスペースを効率的に使うことが可能となる。
【００３１】
（４）本実施形態では、ハウジング側コネクタ部４５は、ベース部材２ａに固定され、ファン側コネクタ部２５は、固定されたハウジング側コネクタ部４５に対して着脱可能に構成されるため、ファンユニット１１がベース部材２ａに正規の取付位置に取り付けられた状態において、ハウジング側コネクタ部４５とファン側コネクタ部２５との接続及び取り外しが許容されるように構成可能となる。
【００３２】
（５）本実施形態では、ファンユニット１１の取付方向と各コネクタ部２５，４５同士の着脱方向とが直交するように構成されるため、各コネクタ部２５，４５を非接続とした後でないとファンユニット１１を取り外せないように構成することが可能となる。
【００３３】
尚、本発明の実施形態は、以下のように変更してもよい。
・上記実施形態では、ハウジング側コネクタ部４５はベース部材２ａの取付孔４４ａに固定されたが、これに限定されるものではなく、取付孔４４ａに着脱可能に取り付けることが可能な構成として、ファンユニット１１を正規の取付位置に配置した後にハウジング側コネクタ部４５を取付孔４４ａに装着するようにしてもよい。
【００３４】
・上記実施形態では、ファンユニット１１は、正規の取付位置に配置された後、ファンユニット固定用ネジ４３にて固定されたが、特にこれに限定されるものではなく、例えば、ハウジング２等に回動可能な係合部を設け、ファンユニット１１を正規の取付位置に配置した後に、係合部を回動させてファンユニット１１と係合させることで、該ファンユニット１１を固定するように構成してもよい。
【００３５】
・上記実施形態では、ファンユニット１１を係止凸部４２中心に回動させてファンユニット取付部１２に取り付ける回動式としたが、これ以外に例えば、スライド式としてもよい。
【００３６】
・上記実施形態において、接続状態のファン側コネクタ部２５又はハウジング側コネクタ部４５を少なくとも１つのファンユニット固定用ネジ４３の幅方向外側に配置して、該ネジ４３の取り外しができないように構成してもよい。このような構成によれば、各コネクタ部２５，４５同士を外した状態で初めて、ファンユニット固定用ネジ４３を外すことが可能となる。
【００３７】
・上記実施形態では、本発明をレーザマーキング装置１に適用したが、これ以外のレーザ加工装置に適用してもよい。
【図面の簡単な説明】
【００３８】
【図１】本実施形態のレーザマーキング装置を示す斜視図。
【図２】本体部を示す分解斜視図。
【図３】本体部を示す分解斜視図。
【図４】各コネクタ部周辺の斜視図。
【図５】ファンユニットの着脱態様を説明するための斜視図。
【符号の説明】
【００３９】
１…レーザ加工装置としてのレーザマーキング装置、２…ハウジング、２ａ…ハウジングを構成するベース部材、３…レーザ光源、１１…ファンユニット、２１…固定部材としてのファンベース、２２…ファン部材、２３…カバー部材としてのファンカバー、２４…接続線、２５…ファン側コネクタ部、４４ａ…取付孔、４５…ハウジング側コネクタ部。
【図１】
2010105035.tif 000003
【図２】
2010105035.tif 000004
【図３】
2010105035.tif 000005
【図４】
2010105035.tif 000006
【図５】
2010105035.tif 000007